(57)【要約】【課題】作業者にまぶしさを感じさせることなく、スライドコンセントレールに係止された他の照明装置の電球を消灯させることなく電球の交換ができる照明装置を提供する。【解決手段】スライドルコンセントレールとソケットを電気的に接続する配線を切断するスイッチを設ける。電球の交換の際にはスイッチで配線を切断し、ソケットへの給電を停止させる。スライドコンセントレールに外部電源から給電がされていても、ソケットへの給電を停止することで、配線が切断された照明装置のソケットのみへの給電が停止され、他の照明装置のソケットへの給電は引き続き実行される。外部電源からスライドコンセントレールに給電がされた状態で、点灯しない電球が取り付けられた照明装置のソケットへの給電を停止させて電球の交換作業を行えば、スライドコンセントレールに係止された他の照明装置の電球を消灯させることなく、交換した電球が突然点灯することを回避できる。【選択図】図１
0003114090.tif 000002
【実用新案登録請求の範囲】
【請求項１】
給電されたスライドルコンセントレールに移動可能に係止される係止手段と、
上記係止手段に取り付けられたソケットと、
上記スライドコンセントレールから上記ソケットに給電する給電手段と、
上記給電手段の給電の実行と停止を切り替えるスイッチ手段を備えたことを特徴とする照明装置。
【考案の詳細な説明】
【技術分野】
【０００１】
本考案は、天井や壁面に設置されたスライドコンセントレールに移動可能に係止される照明装置に関する。
【背景技術】
【０００２】
天井や壁面に設置されたスライドコンセントレールに移動可能に照明装置が係止され、照明装置の移動によって照明位置を変更することができる照明システムが店舗などで使用されている。スライドコンセントレールは、照明装置を複数係止でき、複数の照明装置を用いて複数の位置を照明したり、１つの商品を様々な角度から照明したりすることができる。
【０００３】
スライドコンセントレールは、照明装置を移動可能に係止する係止レールと、外部電源から給電された給電レールが備えられている。スライドコンセントレールに係止される照明装置は、係止レールに移動可能に係止される支柱と、支柱に取り付けられたソケットと、給電レールと接触する接点部材と、接点部材を介して給電レールからソケットに給電する配線を備えている。
【０００４】
照明装置のソケットに取り付けられた電球が寿命などで点灯しなくなると、電球の交換作業が行われる。この交換作業は、点灯しなくなった電球をソケットから取り外して、新しい電球をソケットに取り付けることで行われる。
【０００５】
外部電源から給電レールに給電が行われている状態で交換作業が行われると、新しい電球をソケットに取り付ける際に、電球とソケットが導通すると突然電球が点灯するので、作業者は点灯した瞬間まぶしさを感じる。外部電源から給電レールへの給電を停止させて交換作業を行えば、作業者はまぶしさを感じることなく交換作業を行うことができる。
【考案の開示】
【考案が解決しようとする課題】
【０００６】
しかしながら、給電レールへの給電を停止させると、スライドコンセントレールに係止された全ての照明装置の電球が消灯する。営業時間中に店内が暗くなることは好ましくないので、店舗などでは給電レールへの給電を停止させて電球の交換作業をすることはできない。
【０００７】
そこで本考案は、作業者にまぶしさを感じさせることなく、且つ、スライドコンセントレールに係止された他の照明装置の電球を消灯させることなく電球の交換ができる照明装置を提供することを目的とする。
【課題を解決するための手段】
【０００８】
本考案の照明装置は、給電されたスライドルコンセントレールに移動可能に係止される係止手段と、上記係止手段に取り付けられたソケットと、上記スライドコンセントレールから上記ソケットに給電する給電手段と、上記給電手段の給電の実行と停止を切り替えるスイッチ手段を備える。
【０００９】
外部電源からスライドコンセントレールに給電がされていても、作業者がスイッチ手段で給電手段の給電を停止に切替えることで、給電を停止させた照明装置のソケットのみへの給電が停止され、他の照明装置のソケットへの給電は引き続き実行される。よって、外部電源からスライドコンセントレールに給電がされた状態で、点灯しない電球が取り付けられた照明装置のソケットへの給電を停止させて電球の交換作業を行えば、スライドコンセントレールに係止された他の照明装置の電球を消灯させることなく、上記のように交換した電球が突然点灯することを回避できる。
【考案の効果】
【００１０】
よって、本考案の照明装置を用いれば、作業者がまぶしさを感じることなく、且つ、スライドコンセントレールに係止された他の照明装置の電球を消灯させることなく電球の交換をすることができる。
【考案を実施するための最良の形態】
【００１１】
図１に示すように、本実施の形態では、店舗の天井２０に設置されたスライドコンセントレール３０に本考案の照明装置１０が複数係止されている。
【００１２】
図２は、スライドコンセントレール３０の断面図である。図２に示すように、スライドコンセントレール３０は、略Ｃ字状に形成され、天井２０と反対側に開口が位置するように天井２０に設置されている。スライドコンセントレール３０は、給電レール３１と給電レールより開口側に形成された係止レール３２を備える。給電レール３１は、図示しない外部電源によって給電されている。
【００１３】
照明装置１０は、図３に示すように、係止レール３２に移動可能に係止される係止部４０と、上面に係止部４０が固定された支柱５０と、支柱５０の下端に取り付けられたソケット６０と、支柱５０の表面に形成されたスイッチ７０を備える。
【００１４】
係止部４０は、支柱５０の上面に固定されたボス部４１と、ボス部４１の上下をそれぞれ貫通した接点部材４２と係止部材４３を備える。図４に示すように、接点部材４２が給電レール３１と接触することで、給電レール３１と照明装置１０が電気的に接続され、係止部材４３が係止レール３２に嵌まり込むことで、照明装置１０がスライドコンセントレール３０に係止される。作業者が、支柱５０を押したり引いたりすることで、接点部材４２及び係止部材４３が給電レール３１及び係止レール３２上をスライドして照明装置１０全体が移動する。
【００１５】
接点部材４２と給電レール３１の接触及び係止部材４３を係止レール３２に係止させる方法は、特開２００５−７１６２２号公報に記載された方法で行なう事ができる。
【００１６】
上記支柱５０の内部には、接点部材４２とソケット６０を接続する配線５１が配設されている。配線５１の中途には、スイッチ７０によってオンオフが切り替えられるスイッチ素子５２が設けられている。スイッチ素子５２がオンオフされることで、給電レール３１からソケット６０への給電とこの給電の停止が切り替えられる。
【００１７】
ソケット６０には電球８０が取り付けられている。ソケット６０に取り付けられる電球８０の種類は限定されるものでない。
【００１８】
図１に示すスライドコンセントレール３０が天井２０に設置された店舗の営業時間中は、各照明装置１０のスイッチ素子５２がオンされ、各照明装置１０に取り付けられた電球８０が点灯している。
【００１９】
例えば、図１に示す照明装置１０のうち１つの照明装置１０の電球８０が寿命により点灯しなくなると、電球の交換作業が行なわれる。まず、作業者は、点灯しなくなった電球８０が取り付けられた照明装置１０のスイッチ７０を用いてスイッチ素子５２をオフにする。スイッチ素子５２をオフにすると、作業者は電球８０をソケット６０から取り外し、新しい電球をソケット６０に取り付ける。スイッチ素子５２をオフにして新しい電球を取り付けるので、新しい電球を取り付けている作業中に、新しい電球とソケット６０が導通しても電球が点灯することはない。作業者は、新しい電球をソケット６０に取り付けると、スイッチ７０を用いてスイッチ素子５２をオンにする。スイッチ素子５２がオンとなると、給電レール３１からソケット６０への給電が行われ、電球が点灯する。
【００２０】
このようにして交換作業を行えば、電球は、作業者がスイッチ７０を操作することで点灯するので、従来のように電球が突然点灯することによるまぶしさを作業者が感じることがない。また、交換作業は、外部電源から給電レール３１への給電を停止させずに行うので、交換作業時に他の照明装置１０の電球８０が消灯することがなく、店内が暗くなることを回避することができる。
【００２１】
本考案の照明装置が係止されるスライドコンセントレールは、図１に示すように、天井２０に直接固定されたものだけでなく、壁面に固定されたものや、図５に示すように天井２０に取り付けられた連結棒９０にて吊り下げられて固定されたものであってもよい。
【図面の簡単な説明】
【００２２】
【図１】照明装置の使用状態を示す図。
【図２】スライドコンセントレールの断面図。
【図３】照明装置の概略図。
【図４】スライドコンセントレールに照明装置が係止された状態を示す図。
【図５】照明装置の使用状態を示す図。
【符号の説明】
【００２３】
１０  照明装置
２０  天井
３０  スライドコンセントレール
３１  給電レール
３２  係止レール
４０  係止部
５０  支柱
５１  配線
５２  スイッチ素子
６０  ソケット
７０  スイッチ
８０  電球
９０  連結棒
【図１】
0003114090.tif 000003
【図２】
0003114090.tif 000004
【図３】
0003114090.tif 000005
【図４】
0003114090.tif 000006
【図５】
0003114090.tif 000007